(57)【特許請求の範囲】
【請求項１】
内部に形成された空間からなる流体回路を備えており、遠心力の印加により前記流体回路内に存在する液体を前記流体回路内において移動させるマイクロチップであって、
前記流体回路の内表面が、凹凸パターンからなる表面領域であって、前記液体の移動経路を制御する移動経路制御領域を含み、
前記液体は水を含み、
前記移動経路制御領域を含む前記内表面は、ポリエチレンテレフタレート、ポリブチレンテレフタレート、ポリメチルメタクリレート、ポリカーボネート、ポリスチレン、ポリプロピレン、ポリエチレン、ポリエチレンナフタレート、ポリアリレート樹脂、アクリロニトリル・ブタジエン・スチレン樹脂、塩化ビニル樹脂、ポリメチルペンテン樹脂、ポリブタジエン樹脂およびシクロオレフィンポリマーから選択される熱可塑性樹脂で構成されており、
前記移動経路制御領域を構成する凹凸パターンは、離間して平行に配列される複数のライン状突起からなり、
前記複数のライン状突起は、幅が５０〜２００μｍであり、ライン状突起間の間隔が５０〜２００μｍであり、
前記遠心力の方向と前記ライン状突起の長手方向とがなす角度は、０度超９０度未満であるマイクロチップ。
【請求項２】
遠心力の印加により前記液体を前記流体回路内の領域Ａから領域Ｂに移動させる場合において、前記領域Ａと前記領域Ｂとの間に介在する領域の少なくとも一部を含むように前記移動経路制御領域が設けられる請求項１に記載のマイクロチップ。
【請求項３】
前記移動経路制御領域は、前記流体回路の底面に設けられる請求項１または２に記載のマイクロチップ。
【発明の詳細な説明】
【技術分野】
【０００１】
本発明は、ＤＮＡ、タンパク質、細胞、免疫もしくは血液等の生化学検査、化学合成または環境分析などに好適に使用されるμ−ＴＡＳ（Ｍｉｃｒｏ  Ｔｏｔａｌ  Ａｎａｌｙｓｉｓ  Ｓｙｓｔｅｍ）などとして有用なマイクロチップに関する。
【背景技術】
【０００２】
近年、医療や健康、食品、創薬などの分野で、ＤＮＡ、酵素、抗原、抗体、タンパク質、ウィルスもしくは細胞などの生体物質、または化学物質を検知、検出あるいは定量する重要性が増してきており、それらを簡便に測定できる様々なバイオチップおよびマイクロ化学チップ（以下、これらを総称してマイクロチップと称する。）が提案されている。
【０００３】
マイクロチップは、実験室で従来行なっている一連の検査・分析操作を、小さなチップ内で行なえることから、検体および液体試薬が微量で済み、コストが低く、反応速度が速く、ハイスループットな検査・分析ができ、検体を採取した現場で直ちに検査・分析結果を得ることができるなど多くの利点を有している。
【０００４】
マイクロチップとしては、流体回路（あるいはマイクロ流体回路）と呼ばれる、該回路内に存在する検体や液体試薬等の液体に対して特定の処理を行なうための複数種類の部位（室）とこれらの部位を適切に接続する微細な流路とから構成される流路網をその内部に備えたものが従来公知である（たとえば特許文献１）。このような流体回路を内部に備えるマイクロチップを用いた検体の検査または分析などにおいては、その流体回路を利用して、流体回路内に導入された検体（または検体中の特定成分）やこれと混合される液体試薬の計量（すなわち、計量を行なうための部位である計量部への移動）、検体（または検体中の特定成分）と液体試薬との混合（すなわち、これらを混合するための部位である混合部への移動）、ある部位から他の部位への移動などの種々の処理が行なわれる。
【０００５】
なお、マイクロチップ内でなされる、各種液体（検体、検体中の特定成分、液体試薬、またはこれらのうちの２種以上の混合物など）に対してなされる処理を、以下では「流体処理」ともいう。これら種々の流体処理は、マイクロチップに対して、適切な方向の遠心力を印加することにより行なうことができる。
【０００６】
マイクロチップ内での流体処理を制御良く行なうためには、所定方向の遠心力を印加したときに、流体回路内の液体が、確実に意図したとおりの（設計どおりの）経路に沿ってある部位から他の部位へ移動されることが肝要である。液体の少なくとも一部が、意図したとおりの経路から逸脱して所定の部位に移動されず、流体回路内の他の箇所に移動するような場合には、所定の流体処理が適切になされない結果、検体の検査・分析などの精度が低下したり、検査・分析自体が実施できなかったりするおそれがある。
【０００７】
遠心力印加時に流体回路内の液体が意図したとおりの経路から逸脱して移動してしまう大きな要因の１つが、流体回路の内表面に対する液体の高い濡れ性である。流体回路内の液体が流体回路の内表面に対して高い濡れ性を有している場合には、所定の経路に沿って液体を移動させることを意図して所定方向の遠心力を印加したときであっても、その高い濡れ性に基づいて流体回路の側面に沿って移動しようとする力が働くなどにより、意図しない経路を通って液体が移動することがある。
【０００８】
上記のような問題を解決し得る方法として、流体回路の内表面に撥水コートを施すことにより流体回路の内表面に対する液体の濡れ性を低下させる技術が知られている（たとえば特許文献２および３）。しかし、この方法はマイクロチップの製造工程を煩雑化させ、製造効率を大きく低下させる。また、流体回路の一部分のみについて内表面に対する液体の濡れ性を制御することは困難である。
【先行技術文献】
【特許文献】
【０００９】
【特許文献１】特開２００７−２８５７９２号公報
【特許文献２】特開２００５−１０３４２３号公報
【特許文献３】特開２００５−１６４２４２号公報
【発明の概要】
【発明が解決しようとする課題】
【００１０】
本発明は、遠心力を印加したときに、流体回路内の液体を確実に意図したとおりの経路に沿って移動させることができるとともに、製造容易性に優れたマイクロチップの提供を目的とする。
【課題を解決するための手段】
【００１１】
本発明は、内部に形成された空間からなる流体回路を備えており、遠心力の印加により流体回路内に存在する液体を流体回路内において移動させるマイクロチップであって、流体回路の内表面が、凹凸パターンからなる表面領域であって、液体の移動経路を制御する移動経路制御領域を含むマイクロチップを提供する。
【００１２】
遠心力の印加により液体を流体回路内の領域Ａから領域Ｂに移動させる場合において、好ましくは、領域Ａと領域Ｂとの間に介在する領域の少なくとも一部を含むように移動経路制御領域が設けられる。また、移動経路制御領域は、流体回路の底面に設けられることが好ましい。
【００１３】
１つの好ましい実施形態において移動経路制御領域を構成する凹凸パターンは、離間して平行に配列される複数のライン状突起からなる。この場合、液体を移動させるために印加される遠心力の方向とライン状突起の長手方向とがなす角度は、好ましくは０度超９０度未満である。
【００１４】
他の好ましい実施形態において移動経路制御領域を構成する凹凸パターンは、離間して縦横に配列される複数の柱状突起からなる。さらに他の好ましい実施形態において移動経路制御領域を構成する凹凸パターンは、流体回路の内表面の一部の領域を取り囲むように形成される溝の複数を、離間して縦横に配列してなる。
【発明の効果】
【００１５】
本発明のマイクロチップによれば、流体回路の内表面に移動経路制御領域を設け、この移動経路制御領域上を通るように液体を、遠心力を利用して移動させることにより、意図しない経路を通って液体が移動することを防止し、所望の経路に沿って液体が移動するよう適切に液体移動経路を制御することができるため、流体回路内の意図しない箇所に液体が移動するといった不具合を防止することができる。このことは、マイクロチップによる検査・分析などの精度および信頼性を向上させる。
【００１６】
また、移動経路制御領域を構成する凹凸パターンは、金型を用いた射出成形などにより、流体回路を構成する溝を基板に形成するのと同時に付与することができるため、本発明のマイクロチップは、製造工程の煩雑化を伴うことなく簡便に製造することができる。
【図面の簡単な説明】
【００１７】
【図１】実施形態Ｉに係るマイクロチップを第１の基板側からみたときの上面図である。
【図２】実施形態Ｉに係るマイクロチップを構成する第２の基板における第１の基板側表面を示す上面図である。
【図３】実施形態Ｉに係るマイクロチップを構成する第２の基板における第３の基板側表面を示す上面図である。
【図４】実施形態Ｉに係るマイクロチップを構成する第３の基板の外表面を示す上面図である。
【図５】図３に示される部分Ａを拡大して示す上面図である。
【図６】親水性試薬の液滴を、凹凸パターンを有しない平坦な基板の上に置いたときの状態を示す写真である。
【図７】親水性試薬の液滴を、凹凸パターンを有する基板の上に置いたときの状態を示す写真である。
【図８】貫通穴を介して第２の流体回路にある特定の領域に検体を導入する工程の様子を示した上面図である。
【図９】実施形態Ｉに係るマイクロチップにおいて、第２の流体回路にある特定の領域から分離部に検体を移動させる工程の様子を示した上面図である。
【図１０】移動経路制御領域を有しない従来のマイクロチップにおいて、第２の流体回路にある特定の領域から分離部に検体を移動させる工程の様子を示した上面図である。
【図１１】移動経路制御領域を構成する凹凸パターンの他の一例を示す上面図である。
【図１２】移動経路制御領域を構成する凹凸パターンのさらに他の一例を示す上面図である。
【発明を実施するための形態】
【００１８】
＜マイクロチップの概要＞
本発明のマイクロチップは、各種化学合成、検査または分析等を、それが内部に有する流体回路（内部に形成された空間）を用いて行なうチップであり、流体回路内の液体（検体、検体中の特定成分、液体試薬等の試薬、および、これらのうちの２種以上の混合物など）を遠心力の印加により流体回路内の所定の位置（部位）に移動させることにより、該液体に対して適切な流体処理を行なうことができるものである。このために流体回路は、適切な位置に配置された種々の部位（室）を備えており、これらの部位は微細な流路を介して適切に接続されている。
【００１９】
流体回路が有する上記部位（室）としては、検査または分析などの対象となる検体と混合（または反応）させるための液体試薬を収容する試薬保持部；流体回路内に導入された検体から特定成分を取り出すための分離部；検体（検体中の特定成分である場合を含む。以下同じ。）を計量するための検体計量部；液体試薬を計量するための試薬計量部；検体と液体試薬とを混合するための混合部；得られた混合液についての検査または分析（たとえば、混合液中の特定成分の検出または定量）を行なうための検出部；廃液（たとえば、計量時に検体計量部や試薬計量部からオーバーフローした検体や液体試薬）を収容する廃液溜め部；その他、特定の液体を一時的に収容しておくための収容部などを挙げることができる。
【００２０】
マイクロチップは通常、その一方の表面に、試薬保持部内に液体試薬を注入するための、試薬保持部まで貫通する貫通口である試薬注入口を有する。試薬注入口は、液体試薬が注入された後、たとえば封止用ラベル（シール）などの封止層をマイクロチップ表面に貼着することにより封止される。また、マイクロチップは、その表面に、検査または分析などの対象となる検体を注入するための、流体回路まで貫通する（流体回路に接続される）貫通口である検体注入口を有する。
【００２１】
検出部に導入された混合液を検査または分析するための方法は特に制限されず、たとえば、混合液を収容する検出部に光を照射して透過する光の強度（透過率）を検出する方法、検出部に保持された混合液についての吸収スペクトルを測定する方法等の光学測定を挙げることができる。
【００２２】
本発明のマイクロチップは、上述の例示された部位（室）のすべてを有していてもよく、いずれか１以上を有していなくてもよい。また、これら例示された部位以外の部位を有していてもよい。各部位の数についても特に制限はなく、１または２以上であることができる。
【００２３】
検体からの特定成分の抽出（不要成分の分離）、検体および液体試薬の計量、検体と液体試薬との混合、得られた混合液の検出部への導入などのような流体回路内における種々の流体処理は、マイクロチップに対して適切な方向の遠心力を順次印加して、対象の液体を所定位置に配置された所定の部位に順次移動させることにより行なうことができる。たとえば、計量部による検体および液体試薬の計量はそれぞれ、所定の容量（計量すべき量と同じ量）を有する検体計量部または試薬計量部へ、遠心力の印加により計量されるべき検体または液体試薬を導入し、過剰分の検体または液体試薬を検体計量部または試薬計量部からオーバーフローさせることにより実施することができる。オーバーフローした検体または液体試薬は、流路を介して検体計量部または試薬計量部に接続された廃液溜め部に収容させることができる。
【００２４】
マイクロチップへの遠心力の印加は、遠心力を印加可能な装置（遠心装置）にマイクロチップを載置して行なうことができる。遠心装置は、回転自在なローター（回転子）と、該ローター上に配置された回転自在なステージとを備えることができる。該ステージ上にマイクロチップを載置し、該ステージを回転させてローターに対するマイクロチップの角度を任意に設定したうえでローターを回転させることにより、マイクロチップに対して任意の方向の遠心力を印加することができる。
【００２５】
本発明のマイクロチップは、第１の基板と、該第１の基板上に積層、貼合された第２の基板とから構成することができ、より具体的には、第１の基板上に、表面に溝を備える第２の基板を、当該第２の基板の溝形成側表面が第１の基板に対向するように貼り合わせて構成することができる。かかる２枚の基板からなるマイクロチップは、第２の基板表面に設けられた溝と第１の基板における第２の基板に対向する側の表面とから構成される内部空間からなる流体回路を備える。
【００２６】
また、本発明のマイクロチップは、第１の基板と、基板の両表面に設けられた溝を備える第２の基板と、第３の基板とをこの順で積層、貼合したものであってもよい。かかる３枚の基板からなるマイクロチップは、第１の基板における第２の基板に対向する側の表面および第２の基板における第１の基板に対向する側の表面に設けられた溝から構成される内部空間からなる第１の流体回路と、第３の基板における第２の基板に対向する側の表面および第２の基板における第３の基板に対向する側の表面に設けられた溝から構成される内部空間からなる第２の流体回路と、の２層の流体回路を備える。「２層」とは、マイクロチップの厚み方向に関して異なる２つの位置に流体回路が設けられていることを意味する。かかる２層の流体回路は、第２の基板を厚み方向に貫通する１または２以上の貫通穴によって接続することができる。
【００２７】
基板同士を貼り合わせる方法は特に限定されず、たとえば、貼り合わせる基板のうち、少なくとも一方の基板の貼り合わせ面を融解させて溶着する方法（溶着法）、接着剤を用いて接着する方法などを挙げることができる。溶着法としては、基板を加熱して溶着する方法；レーザー等の光を照射して、光吸収時に発生する熱により溶着する方法（レーザー溶着）；超音波を用いて溶着する方法などを挙げることができる。なかでもレーザー溶着法が好ましく用いられる。
【００２８】
本発明のマイクロチップの大きさは特に限定されず、たとえば縦横数ｃｍ程度、厚さ数ｍｍ〜１ｃｍ程度とすることができる。
【００２９】
本発明のマイクロチップを構成する上記各基板の材質は特に制限されず、たとえば、ポリエチレンテレフタレート（ＰＥＴ）、ポリブチレンテレフタレート（ＰＢＴ）、ポリメチルメタクリレート（ＰＭＭＡ）、ポリカーボネート（ＰＣ）、ポリスチレン（ＰＳ）、ポリプロピレン（ＰＰ）、ポリエチレン（ＰＥ）、ポリエチレンナフタレート（ＰＥＮ）、ポリアリレート樹脂（ＰＡＲ）、アクリロニトリル・ブタジエン・スチレン樹脂（ＡＢＳ）、塩化ビニル樹脂（ＰＶＣ）、ポリメチルペンテン樹脂（ＰＭＰ）、ポリブタジエン樹脂（ＰＢＤ）、生分解性ポリマー（ＢＰ）、シクロオレフィンポリマー（ＣＯＰ）、ポリジメチルシロキサン（ＰＤＭＳ）などの熱可塑性樹脂を用いることができる。
【００３０】
マイクロチップが第１の基板と、基板表面に溝を備える第２の基板とから構成される場合、検出光を利用する光学測定のための検出部を構築するために、第２の基板は透明基板とすることが好ましい。第１の基板は、透明基板であっても不透明基板であってもよいが、レーザー溶着を行なう場合には、光吸収率を増大できることから、不透明基板とすることが好ましく、基板を上記熱可塑性樹脂から構成し、該熱可塑性樹脂中にカーボンブラック等の黒色顔料を添加することにより黒色基板とすることがより好ましい。
【００３１】
マイクロチップが第１の基板と、基板の両表面に溝を備える第２の基板と、第３の基板とから構成される場合、レーザー溶着の効率性の観点から、第２の基板を不透明基板とすることが好ましく、黒色基板とすることがより好ましい。一方、第１および第３の基板は、検出光を利用する光学測定のための検出部を構築するために、透明基板とすることが好ましい。第１および第３の基板を透明基板とすると、第２の基板に設けられた貫通穴と、透明な第１および第３の基板とから光学測定のための検出部を形成でき、マイクロチップ表面と略垂直な方向から検出部に検出光を照射して、透過する光の強度（透過率）を検出するなどの光学測定を行なうことが可能となる。
【００３２】
第２の基板表面に、流体回路を構成する溝（パターン溝）を形成する方法としては、特に制限されず、転写構造を有する金型を用いた射出成形法、インプリント法、切削加工法などを挙げることができる。第２の基板表面に形成される溝の形状およびパターンは、内部空間の構造が、所望される適切な流体回路構造となるように決定される。なお、第２の基板以外の基板（第１および／または第３の基板）にも、流体回路を構成する溝、外側表面に形成される溝や凹部、または貫通穴などを適宜設けることができる。
【００３３】
本発明のマイクロチップは、以上に示したような構成を有するマイクロチップにおいて、流体回路の内表面が、凹凸パターンからなる表面領域であって、遠心力の印加により流体回路内を移動する液体（検体、検体中の特定成分、液体試薬等の試薬またはこれらのうちの２種以上の混合物など）の移動経路を制御する移動経路制御領域を含むことを特徴としている。遠心力の印加により液体を移動させる場合において、意図する（設計上想定する）経路とは異なる経路をも採り得るような流体回路内の領域、とりわけ、各部位（室）間を接続する流路内の領域における内表面に移動経路制御領域を設け、この移動経路制御領域上を通るように液体を、遠心力を利用して移動させることにより、意図しない（設計上想定しない）経路を通って液体が移動することを防止し、所望の経路に沿って液体が移動するよう適切に液体移動経路を制御することができる。
【００３４】
マイクロチップの流体回路は、マイクロチップの小型化を実現するために高集積化が図られており、よって流体回路を構成する流路は一般的に、複雑に入り組んでいる。したがって、ある流路のごく近傍にあるいは該流路に接続されて、他の部位（室）へ導くための他の流路が配置されていることがある。たとえば、流体回路内のある領域Ａから領域Ｂに液体を移動させるための流路ａに、領域ＡおよびＢとは異なる他の領域Ｃに液体を誘導する流路ｂが接続されているような場合には、領域Ａから領域Ｂに液体を移動させることを意図して所定方向の遠心力を印加したにもかかわらず、少なくとも一部の液体が流路ａから逸脱して流路ｂに入り込み、領域Ｃに誘導されてしまうという不具合が生じることがある。
【００３５】
このような場合に本発明を適用し、領域Ａと領域Ｂとの間に介在する領域の少なくとも一部（すなわち、流路ａの内表面の少なくとも一部）を含むように移動経路制御領域を設け、この移動経路制御領域上を通る液体の移動経路を制御（修正）することによって、上記のような不具合が生じる場合と同じ方向の遠心力を印加する場合であっても、液体を流路ａ内における所定の経路に沿って移動させ、流路ｂに入り込むことを防止できる。
【００３６】
以下、実施の形態を示して本発明のマイクロチップについてより詳細に説明する。
本発明に係るマイクロチップの一実施形態（以下、実施形態Ｉともいう。）およびこれを構成する基板を図１〜図４に示す。これらの図面によって示されるマイクロチップ１００ａは、透明基板である第１の基板１、流体回路を形成する溝を両表面に有する黒色基板である第２の基板２、および、透明基板である第３の基板３をこの順で積層、貼合してなる。
【００３７】
図１は、マイクロチップ１００ａを第１の基板１側からみたときの上面図である。図２は、第２の基板２における第１の基板１側表面を示す上面図であり、図３は、第２の基板２における第３の基板３側表面を示す上面図である。図４は、第３の基板３の外表面（第２の基板２側とは反対側の表面）を示す上面図である。なお、図１および図４において点線は、その点線で囲まれた領域が凹部を構成していることを意味している。
【００３８】
まず第１の基板１について説明すると、図１を参照して、第１の基板１には試薬注入口１０３ａを含む、合計１１個の試薬注入口が設けられている。これらの試薬注入口は、第１の基板１を厚み方向に貫通する貫通穴であり、流体回路に含まれる１１個の試薬保持部のそれぞれの直上に設けられ、これらにそれぞれ繋がっている。また、第１の基板１には、検体（たとえば全血）を流体回路内に導入するための、第１の基板１を厚み方向に貫通する貫通穴である検体導入口１０５が設けられている。試薬注入口は、液体試薬が注入された後、封止層をマイクロチップ表面に貼着することにより封止される。封止層は、一方の面に粘着剤層を有するプラスチックフィルム（ラベル、シール等）などであることができる。
【００３９】
本実施形態のマイクロチップ１００ａの流体回路について説明すると、図２および図３を参照して、第２の基板２は、その両面に形成された溝および厚み方向に貫通する複数の貫通穴を有しており、これに第１の基板１および第３の基板３を貼り合わせることによって、マイクロチップ内部に２層の流体回路が形成されている。なお、以下では、第１の基板１における第２の基板２側表面および第２の基板２における第１の基板１側表面に設けられた溝から構成される流体回路を「第１の流体回路」、第３の基板３における第２の基板２側表面および第２の基板２における第３の基板３側表面に設けられた溝から構成される流体回路を「第２の流体回路」とも称する。これら２つの流体回路は、第２の基板２に形成された厚み方向に貫通するいくつかの貫通穴によって連結している。
【００４０】
図２から第１の流体回路の構造を、図３から第２の流体回路の構造を把握することができる。本実施形態のマイクロチップ１００ａは、１つの検体について６項目の検査・分析を行なうことができる多項目チップであり、その流体回路は、６項目の検査・分析を行なうことができるよう、６つのセクション〔図２（第１の流体回路）におけるセクション１〜６。図３（第２の流体回路）においても同様。〕に分けられている。ただし、検体計量部設置領域（図３に示される第２の流体回路の上部領域）においてこれらは互いに接続されている。上記各セクションは、およそ同様の構成を有しており、流体処理も同様であるため、以下では、主に「セクション４」を採り上げて説明する。
【００４１】
セクション４には、第１の流体回路内において、液体試薬が内蔵された試薬保持部が２つ設けられている（図２における試薬保持部２０１ａ、２１１ａ）。上記のように各試薬保持部には、第１の基板１を厚み方向に貫通する貫通穴である試薬注入口が設けられている（図１における試薬注入口１０３ａとその下の試薬注入口）。また、各試薬保持部の下端には、試薬保持部内の液体試薬を排出するための試薬排出路２０２ａ、２１２ａがそれぞれ連結されている（図２参照）。試薬排出路２０２ａ、２１２ａは、第２の基板２の厚み方向に延びる貫通穴であり、裏側の第２の流体回路に繋がっている。図２における下向き（ここでいう下向きとは、マイクロチップ中心に加わる遠心力の向きが下向きであることを意味する。また、図２における下向きとは、図２に記載のマイクロチップにおける検出部６０１などが配置されている側の長手端面が下、これに対向する長手端面が上となるように図を置いたときの下向きを意味する。図３についても同様であり、下向き以外の他の方向に関しても同様である。）の遠心力により試薬保持部２０１ａ、２１１ａから排出された液体試薬は、第２の流体回路内の試薬計量部３０１ａ、３１１ａにそれぞれ導入され、計量される（図３参照）。
【００４２】
セクション４には、第２の流体回路内において、検体中の特定成分を計量するための検体計量部４０１が設けられている。このような検体計量部は各セクションに設けられており、これらの検体計量部は、流路によって直列的に接続されている（図３参照）。
【００４３】
また、マイクロチップ１００ａは、マイクロチップ内に導入された検体から特定成分（液体試薬と混合される成分）を取り出す（たとえば全血から血球成分を分離し、血漿成分を取り出す）ための分離部５０１を備えている（図３参照）。分離操作は遠心分離によりなされる。
【００４４】
検体導入口１０５から導入された検体は、図２における下向きの遠心力の印加により、領域１０を通って収容部８０１に導入され（図２参照）、続く図２における左向きの遠心力の印加により、貫通穴４０を通って第２の流体回路の領域１２に導入される（図３参照）。ついで、図３における下向きの遠心力の印加により、検体は分離部５０１に導入され、遠心分離される（図３参照）。
【００４５】
分離部５０１にて分離された検体中の特定成分は、各セクションに分配されるとともに検体計量部（たとえばセクション４においては検体計量部４０１）にて計量されると、別途計量された各セクション内の１種または２種の液体試薬と混合されて、それぞれ検出部（たとえばセクション４においては検出部６０１）に導入される（図２および図３参照）。検出部に導入された混合液は、たとえば、マイクロチップ表面と略垂直な方向から検出部に検出光を照射し、その透過光の透過率を測定する等の光学測定に供され、該混合液中の特定成分の検出等がなされる。
【００４６】
ここで、マイクロチップ１００ａは、図３および、図３に示される部分Ａを拡大して示す図５を参照して、領域１２に収容された検体を分離部５０１に導く流路の内表面の一部に、検体が移動する際の経路を制御（修正）する移動経路制御領域５を有している。本実施形態において移動経路制御領域５は、上記流路の底面（ここでいう底面とは、検査・分析時に遠心力を印加する際にマイクロチップが置かれる状態において底面であることを意味し、本実施形態では第１の基板１を上にして遠心装置のステージに載置される。）、すなわち、第２の基板２における第１の基板１側表面に形成された溝の底面に設けられた凹凸パターンからなる表面領域である。
【００４７】
本実施形態において移動経路制御領域５を構成する凹凸パターンは、上記流路の内表面上に離間して平行に配列された複数のライン状の突起５ａからなる。ライン状突起５ａの幅、高さおよび突起間の間隔はそれぞれ、１００μｍ、５０μｍ、１００μｍとしている。
【００４８】
このような移動経路制御領域５を設けることにより、本実施形態のマイクロチップ１００ａにおいては、遠心力を印加して検体を領域１２から分離部５０１に移動させる際に、検体が領域１２と分離部５０１とを接続する流路内を通るときの経路を適切に制御して、上記流路に接続されている貫通穴４０に検体が逆流することを防止している。すなわち上述のように、検体を領域１２から分離部５０１に移動させる際には、マイクロチップ１００ａに対して図３における下向きの遠心力（これは、部分Ａにおいて左下向きの遠心力に相当する。）の印加するが、後で詳述するように移動経路制御領域５を設けない場合においては、この遠心力を印加したとき、検体の一部が貫通穴４０に逆流する場合があった。移動経路制御領域５はこのような問題を解決し、確実に検体の全量が分離部５０１に導入されることを保証する。
【００４９】
凹凸パターンからなる移動経路制御領域５が示す液体の移動経路を制御（修正）する機能は、液体の接触角が、突起表面の平坦部と比べて突起の角部において大きくなるという原理に基づいている（たとえば、ドゥジェンヌ，ブロシャール−ヴィアール，ケレ共著、奥村  剛訳、「表面張力の物理学」、２００３年９月発行、第２２３頁参照）。突起表面の平坦部における接触角をθ度、角部の内角をｘ度とすると、突起の角部における接触角は、θからθ＋（１８０−ｘ）の範囲内のいかなる値もとり得る。
【００５０】
図６および図７は、凹凸パターンの上記機能を立証する実験結果を示す写真である。図６は、親水性試薬（界面活性剤Ｔｗｅｅｎ２０を含む水系試薬）の液滴をＰＭＰ（ポリメチルペンテン）からなる凹凸パターンを有しない平坦な基板の上に置いたときの状態を示す写真であり、図６（ａ）上面図、図６（ｂ）が側面図である。図７は、親水性試薬（界面活性剤Ｔｗｅｅｎ２０を含む水系試薬）の液滴をＰＭＰ（ポリメチルペンテン）からなる凹凸パターンを有する基板の上に置いたときの状態を示す写真であり、図７（ａ）上面図、図７（ｂ）が側面図である。図７において凹凸パターンは、断面（底面）が１辺８００μｍの正方形である四角柱状の突起の複数を縦横に離間して配列したものである。突起の角部の内角はすべてについて９０度である。図６（ｂ）および図７（ｂ）にそれぞれの接触角を示しており、凹凸パターンを有しない場合には５８度（図６（ｂ））、凹凸パターンを有する場合には１３７度であった（図７（ｂ））。
【００５１】
上記の図６および図７に示される実験結果からも立証されるように、凹凸パターン上に置かれた液滴は、その接触角が大きくなることがわかる。このような凹凸パターンの機能は、凹凸パターンが図７に示されるような柱状突起の複数を縦横に離間して配列してなるものである場合に限定されず、実施形態Ｉのようなライン状の突起５ａを離間して配列したものである場合にも発現され、実施形態Ｉのマイクロチップ１００ａにおいて移動経路制御領域５上を通過する検体は、その接触角が大きい状態となっている。
【００５２】
実施形態Ｉのマイクロチップ１００ａにおける移動経路制御領域５による検体の移動経路の制御についてより具体的に説明する。図８は、図３における右向き（図２における左向きの遠心力の印加）により、貫通穴４０を介して第２の流体回路の領域１２に検体を導入する工程（第１工程）の様子を示した上面図である（なお、図８は移動経路制御領域５を有しない場合を示しているが、実施形態Ｉのマイクロチップ１００ａは、図９などに示されるとおり、移動経路制御領域５を有している。）。図９は、実施形態Ｉのマイクロチップ１００ａにおいて、図３における下向きの遠心力の印加により、領域１２から分離部５０１に検体を移動させる工程（第２工程）の様子を示した上面図である。図１０は、移動経路制御領域５を有しない従来のマイクロチップにおいて、図３における下向きの遠心力の印加により、領域１２から分離部５０１に検体を移動させる工程（第２工程）の様子を示した上面図である。
【００５３】
図８〜図１０はいずれも図３に示される部分Ａに相当する領域を拡大して示すものである。図８〜図１０において「ＣＦ」とは遠心力を意味し、その矢印は遠心力の方向を指している。図８を参照して、マイクロチップの中心において右向きの遠心力を印加した場合、部分Ａにおいては、略右上向きの遠心力が印加されることなる。また、図９および図１０を参照して、マイクロチップの中心において下向きの遠心力を印加した場合、部分Ａにおいては、略左下向きの遠心力が印加されることなる。図８〜図１０におけるもう一つの矢印は、検体の移動経路を示している。
【００５４】
図１０に示されるように、従来のマイクロチップにおいては、第２工程にて下向きの遠心力（部分Ａにおいては略左下向きの遠心力）を印加すると、遠心力の方向と平行に検体が移動するのではなく、それより貫通穴４０寄りの経路（図１０に示される経路２）を通って移動することが明らかとなっている。これは、基板表面（流体回路内表面）に対する検体の濡れ性が高い（接触角が小さい）ために、流体回路の底面と側面との交線に沿って検体が流れようとするためである。このような経路をとるために、従来のマイクロチップでは、第２工程において検体の一部が貫通穴４０に逆流する場合があった。
【００５５】
これに対して実施形態Ｉのマイクロチップ１００ａでは、移動経路制御領域５を設けていることにより、図９に示されるように、第２工程にて下向きの遠心力（部分Ａにおいては略左下向きの遠心力）を印加すると、遠心力の方向と平行な方向よりも貫通穴４０から離れるような経路（図９に示される経路２）を通って検体が移動することが実証された。このような検体の移動経路の改善は、上述した凹凸パターンの機能によるものであり、より具体的には、接触角の増大によって検体の濡れ性（表面張力）に基づく移動が抑制されることで、遠心力に基づく検体の移動が支配的になるためである。
【００５６】
ここで、移動経路制御領域が、とりわけ実施形態Ｉのようなライン状突起の配列構造からなる場合には、遠心力印加時、ライン状突起の長手方向に沿って液体が流れやすくなる。実施形態Ｉのマイクロチップ１００ａにおいて、第２工程にて図９に示される経路２のように、遠心力方向と平行な方向よりも図９における左寄りの経路をとるのはこのためである。遠心力方向と平行な方向からの経路のずれの程度は、遠心力方向に対するライン状突起の長手方向の角度を調整することにより制御できる。このように、液体が遠心力方向と平行な方向とは異なる経路を通るように移動経路を制御したい場合には、遠心力方向とライン状突起の長手方向とがなす角度αを０度超９０度未満とすればよい（角度αは最小で０度、最大で９０度をとり得るものとする。）。
【００５７】
一方、液体が遠心力方向と平行な方向の経路を通るように移動経路を制御したい場合には、遠心力方向とライン状突起の長手方向とがなす角度αを０度（すなわち平行）にすることができる。
【００５８】
移動経路制御領域が、実施形態Ｉのようなライン状突起の配列構造からなる場合において、液体の接触角を増大させる機能を発現させるためには、ライン状突起の幅は１０〜１０００μｍとすることが好ましく、５０〜２００μｍとすることがより好ましい。また、ライン状突起間の間隔は、１０〜１０００μｍとすることが好ましく、５０〜２００μｍとすることがより好ましい。ライン状突起の高さは液体の接触角にあまり影響を及ぼさないため任意であるが、通常５０〜３００μｍとすることができる。
【００５９】
接触角増大効果は、ライン状突起の角部（突起上面と側面とから形成される角部）のＲを小さくするほど大きくなる。したがって当該角部のＲは５０μｍ以下とすることが好ましく、１０μｍ以下とすることがより好ましい。この点は、他の凹凸パターンにおいても同様である。
【００６０】
本発明において移動経路制御領域は、流体回路内表面のいずれの位置に形成することもできるが、通常は実施形態Ｉのように、各部位（室）間を接続する流路の内表面であり、とりわけ液体が意図しない経路を通って移動すると、所定の流体処理に不具合が生じるような流路の内表面である。このような内表面の部分にどの程度の範囲にわたって移動経路制御領域を形成するかは液体の移動経路をどのように変動させるかどうかに依存する。実施形態Ｉにおいては、図１０に示される経路２を図９に示される経路２に修正するために、流路を形成する領域１２側の側面から、少なくとも図９に示される経路２に至る領域にわたってライン状突起を設けている。遠心力の印加により流体回路内の液体を領域Ａから領域Ｂに移動させる場合において、移動経路制御領域は通常、領域Ａと領域Ｂとの間に介在する領域（流路）の少なくとも一部を含むように設けられる。
【００６１】
移動経路制御領域は、良好な移動経路制御性が得られることから、流体回路の内表面のなかでも、底面またはこれに対向する上面（天井面）に設けられることが好ましく、さらに基板成形時に流体回路を構成する溝（流路）と同時に形成され、該溝との間に位置ずれが生じないことから、底面に設けられることがより好ましい。
【００６２】
本発明において移動経路制御領域を構成する凹凸パターンはライン状突起からなるものに限定されず、種々のパターンであることができる。図１１および図１２は、移動経路制御領域を構成する凹凸パターンの他の例を示す上面図である。図１１および図１２において斜線部分は、斜線を付していない部分よりも突出していることを意味する。
【００６３】
図１１に示される移動経路制御領域５は、離間して縦横に配列される複数の柱状の突起５ａからなる。突起５ａの断面（底面）形状は図１１に例示されるような正方形に限定されず、長方形、菱形等の他の四角形状、四角形状以外の多角形状、円形状、楕円形状などであることができる。
【００６４】
移動経路制御領域が、図１１のように、離間して縦横に配列される複数の柱状突起からなる場合において、液体の接触角を増大させる機能を発現させるためには、柱状突起の断面径（多角形状においては、ある辺から対向する辺までの距離の最大値、楕円形状においては長径。以下同様。）は１０〜２０００μｍとすることが好ましく、１００〜１０００μｍとすることがより好ましい。また、柱状突起間の間隔は、１０〜１０００μｍとすることが好ましく、１００〜５００μｍとすることがより好ましい。柱状突起の高さは液体の接触角にあまり影響を及ぼさないため任意であるが、通常１０〜２００μｍとすることができる。
【００６５】
図１２に示される移動経路制御領域５は、流体回路の内表面の一部の領域（図１２における突起５ａの領域）を取り囲むように形成される溝の複数を、離間して縦横に配列してなる。より具体的には、図１２に示される移動経路制御領域５は、枠状の溝の複数を離間して縦横に配列してなる。溝の形状（したがって突起５ａの断面（底面）形状）は図１２に例示されるような正方形に限定されず、長方形、菱形等の他の四角形状、四角形状以外の多角形状、円形状、楕円形状などであることができる。
【００６６】
移動経路制御領域が、図１２のように、流体回路の内表面の一部の領域を取り囲むように形成される溝の複数を、離間して縦横に配列してなる場合において、液体の接触角を増大させる機能を発現させるためには、溝によって取り囲まれる柱状突起の断面径は１０〜２０００μｍとすることが好ましく、１００〜１０００μｍとすることがより好ましい。溝の幅は、１０〜１０００μｍとすることが好ましく、１００〜５００μｍとすることがより好ましい。また、溝間の間隔は、１０〜２０００μｍとすることが好ましく、１００〜１０００μｍとすることがより好ましい。柱状突起の高さ（溝の深さ）は液体の接触角にあまり影響を及ぼさないため任意であるが、通常１０〜２００μｍとすることができる。
【００６７】
「セクション４」を主に採り上げて、実施形態Ｉのマイクロチップ１００ａによる検体（例として全血を採り上げる）の検査・分析方法（流体処理操作）を説明すると次のとおりである。
【００６８】
（１）全血導入、液体試薬計量工程
第１の基板１の検体導入口１０５から全血を導入し、ついで図２における略下向きに遠心力を印加する。これにより全血は、領域１０を通って収容部８０１に導入される（図２参照）。また、この略下向きの遠心力印加により、試薬保持部２０１ａ、２１１ａ内の液体試薬は、それぞれ試薬排出路２０２ａ、２１２ａを通って試薬計量部３０１ａ、３１１ａに至り、計量される（図３参照）。各試薬計量部から溢れた液体試薬は、それぞれ貫通穴２０、３０を通って、廃液溜め部７０１、７１０に収容される（図２参照）。
【００６９】
（２）遠心分離工程
次に、図２における略左向きに遠心力を印加して、貫通穴４０を介して全血を領域１２に移動させる（図３参照）。続いて、図３における略下向きに遠心力を印加して、領域１２内の全血を分離部５０１に導入する（図３参照）。そして引き続き略下向きに遠心力を印加することにより分離部５０１にて遠心分離を行ない、血漿成分（上層）と血球成分（下層）とに分離する。
【００７０】
移動経路制御領域５を有する本実施形態のマイクロチップ１００ａの３０個および移動経路制御領域５を有しないこと以外はマイクロチップ１００ａと同じ構造の従来のマイクロチップの３０個について、略下向きの遠心力印加（回転数３０００ｒｐｍ）により領域１２内の全血を分離部５０１に導入する工程を実施し、図１０に示されるような貫通穴４０への逆流の発生率を算出したところ、本実施形態のマイクロチップ１００ａでは０％、従来のマイクロチップでは４３％（３０個中１３個）であった。
【００７１】
（３）検体計量工程
次に、図３における略右向きの遠心力を印加する。これにより、分離部５０１において分離された血漿成分は、検体計量部４０１に導入され（同時に他の５つの検体計量部にも導入される）、計量される（図３参照）。検体計量部から溢れた血漿成分は、貫通穴５０を通って第１の流体回路に移動する（図２参照）。この略右向きの遠心力により、試薬計量部３０１ａ内の液体試薬は、混合部９００に移動し、試薬計量部３１１ａ内の液体試薬は、領域１１に移動する。
【００７２】
（４）第１混合工程
次に、図３における略下向きの遠心力を印加する。これにより、計量された液体試薬（試薬保持部２０１ａに保持されていた液体試薬）と、検体計量部４０１にて計量された血漿成分とが、試薬計量部３０１ａにおいて混合される（第１混合工程第１ステップ、図３参照）。次に、図３における略右向きの遠心力を印加することにより、混合液は、混合部９００に残存していた液体試薬とさらに混合される（第１混合工程第２ステップ、図３参照）。これら第１ステップおよび第２ステップを必要に応じて複数回行ない、確実に混合を行なう。
【００７３】
（５）第２混合工程
次に、図３における略上向きの遠心力を印加する。これにより、混合部９００内の混合液は、貫通穴６０を通って混合部９１０に至り、計量されたもう一方の液体試薬（試薬保持部２１１ａ内に保持されていた液体試薬）もまた、貫通穴６０を通って混合部９１０に至り、これらが混合される（第２混合工程第１ステップ、図２および図３参照）。次に、図２における略右向きの遠心力を印加することにより、混合液を混合部９１０内で移動させ、混合を促進させる（第２混合工程第２ステップ、図２参照）。これら第１ステップおよび第２ステップを必要に応じて複数回行ない、確実に混合を行なう。
【００７４】
（６）検出部導入工程
最後に、図２における略下向きの遠心力を印加する。これにより、混合部９１０内の混合液は検出部６０１に導入される。検出部６０１に充填された混合液は、光学測定に供され、検体（血漿成分）の検査・分析が行なわれる。たとえば、マイクロチップ表面に対して略垂直な方向から光を照射し、その透過光を測定することにより、混合液中の特定成分の検出等がなされる。他の検出部に導入された混合液についても同様である。
【符号の説明】
【００７５】
１  第１の基板、２  第２の基板、３  第３の基板、５  移動経路制御領域、５ａ  突起、１０，１１，１２  領域、２０，３０，４０，５０，６０  貫通穴、１００ａ  マイクロチップ、１０３ａ  試薬注入口、１０５  検体導入口、２０１ａ，２１１ａ  試薬保持部、２０２ａ，２１２ａ  試薬排出路、３０１ａ，３１１ａ  試薬計量部、４０１  検体計量部、５０１  分離部、６０１  検出部、７０１，７１０  廃液溜め部、８０１  収容部、９００，９１０  混合部。
【図１】
0006017793.tif 000002
【図２】
0006017793.tif 000003
【図３】
0006017793.tif 000004
【図４】
0006017793.tif 000005
【図５】
0006017793.tif 000006
【図８】
0006017793.tif 000007
【図９】
0006017793.tif 000008
【図１０】
0006017793.tif 000009
【図１１】
0006017793.tif 000010
【図１２】
0006017793.tif 000011
【図６】
0006017793.tif 000012
【図７】
0006017793.tif 000013